(57)【要約】【課題】寒冷地でもログ外壁を厚くすることなく十分な耐熱性能を発揮し、しかも、ログ外壁のセトリングがあっても断熱材及び面材が変形しないログハウスを提供する。【解決手段】丸太組構法で構築されたログ外壁30と、ログ外壁30の室外側に配置した外断熱材40と、外断熱材40の室外側に配置した外装部材50とを備える。ログ外壁30と外断熱材40との間に、室内及び室外とは連通しない空気層60を設け、外断熱材40と外装部材50との間に、室内とは連通せず室外とは連通する通気層70を設け、外断熱材40上端部と外装部材50上端部との間に、通気層70と室外とを連通させる上通気口71を設け、外断熱材40下端部と外装部材50下端部との間に、通気層70と室外とを連通させる下通気口72を設ける。ログ外壁30の室外側の壁面に、複数本の縦桟部材80を、ログ外壁30に対して上下方向に移動可能に取り付け、これらに外断熱材40及び外装部材50を固定する。【選択図】図１
2011132731.tif 000002
【特許請求の範囲】
【請求項１】
丸太組構法によって構築されたログ外壁と、
ログ外壁の室外側に配置された外断熱材と、
外断熱材の室外側に配置された外装部材とを備え、
ログ外壁と外断熱材との間に、室内及び室外のいずれとも連通しない空気層が設けられていることを特徴とするログハウス。
【請求項２】
外断熱材と外装部材との間に、室内とは連通せず室外とは連通する通気層が設けられていることを特徴とする請求項１記載のログハウス。
【請求項３】
外断熱材の上端部と外装部材の上端部との間に、通気層と室外とを連通させる上通気口が設けられ、
外断熱材の下端部と外装部材の下端部との間に、通気層と室外とを連通させる下通気口が設けられていることを特徴とする請求項２記載のログハウス。
【請求項４】
ログ外壁の室外側の壁面に、上下方向に延びる複数本の縦桟部材が、ログ外壁に対して上下方向に移動可能に取り付けられ、これらの縦桟部材に、外断熱材及び外装部材が固定されていることを特徴とする請求項１、２又は３記載のログハウス。
【発明の詳細な説明】
【技術分野】
【０００１】
本発明は、ログハウスに関し、更に詳しくは、ログ外壁の室外側に断熱材を配置した、いわゆる外断熱のログハウスに関する。
【背景技術】
【０００２】
ログハウスでは、丸太組構法で、すなわち、丸太、製材その他これに類する木材を水平に積み上げることで、ログ外壁が構築される。このログ外壁を構成する木材は、ログ材などと呼ばれる。また、ログハウスでは、建築後に、ログ材の自重による圧縮と、ログ材の乾燥による収縮とによって、ログ外壁全体の高さが次第に低くなるという現象が生じる。このような現象は、セトリングなどと呼ばれる。
ここで、木材は、熱伝導率が比較的小さく（熱抵抗率が比較的大きく）、断熱性能に比較的優れた材料である。しかし、一般的な厚さのログ外壁では、寒冷地において、断熱性能が不足することがある。また、寒冷地において、ログ外壁だけで、いわゆる省エネ基準を満たすのに十分な断熱性能を得ようとすると、ログ外壁の厚さを何十センチメートルにもしなければならない。これでは、直径が何十センチメートルものログ材を用いることとなり、非常にコスト高になってしまう。
【０００３】
また、木造軸組構法の建物では、例えば、外壁の室外側の面材と室内側の面材との間に断熱材を充填することができ、また、ＲＣ構法の建物では、例えば、コンクリート壁の室内側や室外側に貼付するようにして断熱材及びそれを覆う面材を施工することができる。しかし、ログハウスでは、ログ外壁の内部に断熱材を充填することは容易ではなく、また、建築後にはログ外壁にセトリングが生じるために、ログ外壁の室内側や室外側に貼付するようにして断熱材及びそれを覆う面材を施工することも容易ではない。
なお、２００９年１１月１２日に、特許電子図書館（ＩＰＤＬ）の公報テキスト検索にて、公報種別を「公開特許公報」ＡＮＤ「特許公報」ＡＮＤ「公開実用新案公報」ＡＮＤ「実用新案公報」とし、検索キーワードを「Ｅ０４Ｂ２／０２」（検索項目：ＩＰＣ）ＡＮＤ「断熱」（検索項目：要約＋請求の範囲）として検索を行った。その結果、１２０件がヒットし、その中に、「壁体の内部に断熱材を充填したログハウス型構造物」に関する先行技術文献はあったが（特許文献１参照）、「ログ外壁の室内側や室外側に断熱材を配置したログハウス」に関する先行技術文献はなかった。
【先行技術文献】
【特許文献】
【０００４】
【特許文献１】特開２００５−２５６３１６号公報
【発明の概要】
【発明が解決しようとする課題】
【０００５】
本発明は、寒冷地においても、ログ外壁を厚くすることなく、十分な耐熱性能を得ることができ、しかも、建築後にログ外壁のセトリングがあっても、断熱材及びそれを覆う面材が変形しないログハウスを提供することを目的とする。
【課題を解決するための手段】
【０００６】
（請求項１）
請求項１記載の発明は、丸太組構法によって構築されたログ外壁と、ログ外壁の室外側に配置された外断熱材と、外断熱材の室外側に配置された外装部材とを備え、ログ外壁と外断熱材との間に、室内及び室外のいずれとも連通しない空気層が設けられていることを特徴とする。
（請求項２）
請求項２記載の発明は、請求項１記載の発明を限定したものであって、外断熱材と外装部材との間に、室内とは連通せず室外とは連通する通気層が設けられていることを特徴とする。
【０００７】
（請求項３）
請求項３記載の発明は、請求項２記載の発明を限定したものであって、外断熱材の上端部と外装部材の上端部との間に、通気層と室外とを連通させる上通気口が設けられ、外断熱材の下端部と外装部材の下端部との間に、通気層と室外とを連通させる下通気口が設けられていることを特徴とする。
（請求項４）
請求項４記載の発明は、請求項１、２又は３記載の発明を限定したものであって、ログ外壁の室外側の壁面に、上下方向に延びる複数本の縦桟部材が、ログ外壁に対して上下方向に移動可能に取り付けられ、これらの縦桟部材に、外断熱材及び外装部材が固定されていることを特徴とする。
【０００８】
ここで、「丸太組構法」とは、丸太、製材その他これに類する木材を水平に積み上げることにより壁を設ける工法をいう（国土交通省告示第四百十一号）。
また、「ログ外壁」とは、丸太組構法によって構築された外壁をいう。つまり、丸太、製材その他これに類する木材を水平に積み上げることによって構築された外壁をいう。
また、「外断熱材」は、ログ外壁の室外側に配置される断熱材である。また、外断熱材としては、例えば、ボード系のものを用いてもよく、また、グラスウール系のものを用いてもよい。
また、「外装部材」は、外断熱材の室外側に配置される部材である。
【０００９】
また、「空気層」は、ログ外壁と外断熱材との間に設けられる、室内及び室外のいずれとも連通しない層である。
また、「通気層」は、外断熱材と外装部材との間に設けられる、室内とは連通せず室外とは連通する層である。
つまり、室内側から室外側へ向けて順に、ログ外壁、空気層、外断熱材、通気層、外装部材が設けられる。
また、「上通気口」は、外断熱材の上端部と外装部材の上端部との間に設けられる、通気層と室外とを連通させる開口である。
【００１０】
また、「下通気口」は、外断熱材の下端部と外装部材の下端部との間に設けられる、通気層と室外とを連通させる開口である。
また、「縦桟部材」は、上下方向に延びる部材であって、ログ外壁の室外側の壁面に、ログ外壁に対して上下方向に移動可能に取り付けられるものである。そして、この縦桟部材に、外断熱材及び外装部材が固定されるものである。
また、縦桟部材としては、例えば、木材を用いることができる。
また、縦桟部材としては、例えば、土台の高さの位置から、ログ外壁の最上段のログ材の高さの位置まで至る長さのものを用いることが好ましい。
【００１１】
また、縦桟部材は、ログ外壁に対しては上下方向に移動可能に取り付けられるものの、土台又は最下段のログ材に対しては固定するのが好ましい。
また、例えば、縦桟部材に、ログ外壁側からログ外壁とは反対側まで貫通する貫通長孔を設ける。また、この貫通長孔は、上下方向（縦方向）に延びる長円形状とする。さらに、この貫通長孔の上下方向（縦方向）の径（長径）は、セトリングにより低くなると想定される高さ以上の長さに設定する。例えば、セトリングによりログ外壁全体の高さが５ｃｍ程度低くなると想定される場合には、貫通長孔の長径は、５ｃｍ以上の長さに設定する。そして、この貫通長孔に締結具を挿通し、この締結具をログ外壁に固定する。このとき、セトリングによりログ外壁全体の高さが低くなることを考慮して、締結具は、貫通長孔内の中央よりも上側に位置させることが好ましい。また、締結具としては、例えば、軸部の直径が、貫通長孔の左右方向（横方向）の径（短径）とほぼ等しく、かつ、頭部の直径が、貫通長孔の短径よりも大きいコーチボルトを用いることができる。そして、このコーチボルトを貫通長孔に挿通し、その先端部分をログ外壁に螺合させて固定する。このとき、コーチボルトは、縦桟部材がログ外壁から離れない程度に、つまり、縦桟部材が倒れない程度に、締め付ければよい。このようにして、縦桟部材を、ログ外壁の室外側の壁面に、ログ外壁に対して上下方向に移動可能に取り付けることができる。
【００１２】
また、上下方向に延びる長円形状の貫通長孔は、縦桟部材に直接設けたものに限られるものではない。例えば、上下方向に延びる長円形状の貫通長孔が設けられた取付具を、縦桟部材に固定し、さらに、この取付具に設けられた貫通長孔に、木ネジなどの締結具を挿通し、この締結具をログ外壁に固定する。つまり、上下方向に延びる長円形状の貫通長孔は、縦桟部材に間接的に設けたものであってもよい。このようにしても、縦桟部材を、ログ外壁の室外側の壁面に、ログ外壁に対して上下方向に移動可能に取り付けることができる。
すなわち、上下方向に延びる長円形状の貫通長孔を、縦桟部材に直接又は縦桟部材に固定した取付具に設け、この貫通長孔に締結具を挿通し、この締結具をログ外壁に固定する。そうすると、縦桟部材を、ログ外壁の室外側の壁面に、ログ外壁に対して上下方向に移動可能に取り付けることができる。
【発明の効果】
【００１３】
（請求項１）
請求項１記載の発明によれば、ログ外壁の室外側に、外断熱材を配置するとともに、ログ外壁と外断熱材との間に、室内及び室外のいずれとも連通しない空気層を設けたことから、室外側に外壁が厚くなるので、室内空間を圧迫せず、また、室内側にログ外壁を露出させることができるので、室内で天然木の良さを享受でき、さらに、空気層が断熱層として機能するので、寒冷地でもログ外壁を厚くすることなく十分な耐熱性能を得ることができ、しかも、空気層がログ外壁と外断熱材との接触を断つので、セトリングによりログ外壁全体の高さが低下しても外断熱材及び外装部材が変形しないログハウスを提供できる。
【００１４】
（請求項２）
請求項２記載の発明によれば、請求項１記載の発明の効果に加えて、外断熱材と外装部材との間に、室内とは連通せず室外とは連通する通気層を設けたことから、日射による外装部材の温度上昇の室内への影響を小さく抑えられるログハウスを提供できる。
（請求項３）
請求項３記載の発明によれば、請求項２記載の発明の効果に加えて、外断熱材の上端部と外装部材の上端部との間に、通気層と室外とを連通させる上通気口を設けるとともに、外断熱材の下端部と外装部材の下端部との間に、通気層と室外とを連通させる下通気口を設けたことから、通気層内の空気が上下に抜けるので、通気層内の通気を効果的に行えるログハウスを提供できる。
【００１５】
（請求項４）
請求項４記載の発明によれば、請求項１、２又は３記載の発明の効果に加えて、ログ外壁の室外側の壁面に、上下方向に延びる複数本の縦桟部材を、ログ外壁に対して上下方向に移動可能に取り付けて、これらの縦桟部材に、外断熱材及び外装部材を固定したことから、セトリングによりログ外壁全体の高さが低下しても、縦桟部材が変形することなくログ外壁の室外側の壁面に取り付けられたままの状態を保ち、ひいては外断熱材及び外装部材が変形しないログハウスを提供できる。
【図面の簡単な説明】
【００１６】
【図１】本発明の実施の形態に係るログハウスの外壁の一部切り欠き斜視図
【図２】本発明の実施の形態に係るログハウスの外壁の平断面図
【図３】本発明の実施の形態に係るログハウスの外壁の側断面図
【図４】本発明の他の実施の形態に係るログハウスの外壁の要部斜視図
【図５】本発明の他の実施の形態に係るログハウスの外壁の要部斜視図
【発明を実施するための形態】
【００１７】
本発明の実施の形態を、図１〜図３に基づいて説明する。
（ログハウス）
図１〜図３に示すように、本実施の形態に係るログハウスは、地面に打設された基礎10と、基礎10の上に載置され基礎10に対してアンカーボルトで固定された土台20と、土台20の上に構築されたログ外壁30とを備えている。また、基礎10と土台20との接合部付近には、水切り96が設けられている。
そして、本実施の形態に係るログハウスは、ログ外壁30の室外側に配置された外断熱材40と、外断熱材40の室外側に配置された外装部材50とを備えている。つまり、本実施の形態に係るログハウスは、いわゆる外断熱のログハウスである。
【００１８】
また、ログ外壁30と外断熱材40との間には、室内及び室外のいずれとも連通しない空気層60が設けられている。
また、外断熱材40と外装部材50との間には、室内とは連通せず室外とは連通する通気層70が設けられている。
また、外断熱材40の上端部と外装部材50の上端部との間には、通気層70と室外とを連通させる上通気口71が設けられ、また、外断熱材40の下端部と外装部材50の下端部との間には、通気層70と室外とを連通させる下通気口72が設けられている。
また、ログ外壁30の室外側の壁面には、上下方向に延びる複数本の縦桟部材80が、ログ外壁30に対して上下方向に移動可能に取り付けられ、これらの縦桟部材80に、外断熱材40及び外装部材50が固定されている。
【００１９】
以下更に、本実施の形態に係るログハウスの各部の構成について詳しく説明する。
（ログ外壁30）
ログ外壁30は、丸太組構法によって構築される外壁である。
また、丸太組構法とは、丸太、製材その他これに類する木材（以下「ログ材31」という）を水平に積み上げることにより壁を設ける工法をいう（国土交通省告示第四百十一号）。
また、本実施の形態では、ログ材31として、断面が四角形状のものを用いている。このような断面形状のログ材31は、Ｉ型ログなどと呼ばれる。
【００２０】
（縦桟部材80）
縦桟部材80は、上下方向に延びる部材であって、ログ外壁30の室外側の壁面に、ログ外壁30に対して上下方向に移動可能に取り付けられるものである。そして、この縦桟部材80に、外断熱材40及び外装部材50が固定される。つまり、縦桟部材80は、外断熱材40及び外装部材50をログ外壁30の室外側の壁面に取り付けるために、ログ外壁30と外断熱材40及び外装部材50との間に介装される部材である。
本実施の形態では、ログ外壁30の室外側の壁面には、複数本の縦桟部材80が、所定の間隔で取り付けられている。
【００２１】
また、各縦桟部材80としては、断面が四角形状の角材を用いている。
また、各縦桟部材80は、土台20の高さの位置から、ログ外壁30の最上段のログ材31の高さの位置まで至る長さとされている。つまり、各縦桟部材80の下端は、土台20の高さに位置し、また、各縦桟部材80の上端は、ログ外壁30の最上段のログ材31の高さに位置している。
また、各縦桟部材80には、ログ外壁30側からログ外壁30とは反対側まで貫通する貫通長孔81が設けられている。つまり、各貫通長孔81は、各縦桟部材80における、ログ外壁30側からログ外壁30とは反対側まで貫通している。
【００２２】
また、各貫通長孔81は、上下方向（縦方向）に延びる長円形状とされている。
また、各貫通長孔81の上下方向（縦方向）の径（長径）は、セトリングにより低くなると想定される高さ以上の長さに設定されている。
また、本実施の形態では、締結具として、軸部の直径が、貫通長孔81の左右方向（横方向）の径（短径）とほぼ等しく、かつ、頭部の直径が、貫通長孔81の短径よりも大きいコーチボルト82を用いている。そして、このようなコーチボルト82を、各貫通長孔81にそれぞれ挿通して、その先端部分をログ外壁30に螺合させて固定する。このとき、各コーチボルト82は、縦桟部材80がログ外壁30から離れない程度に、つまり、縦桟部材80が倒れない程度に、締め付ける。さらに、本実施の形態では、各貫通長孔81の長径を、セトリングにより低くなると想定される高さ以上に設定するとともに、セトリングによりログ外壁30全体の高さが低くなることを想定して、締結具としての各コーチボルト82を、各貫通長孔81内のほぼ中央に位置させている。このようにして、本実施の形態では、各縦桟部材80を、ログ外壁30の室外側の壁面に、ログ外壁30に対して上下方向に移動可能に取り付けている。
【００２３】
さらに、本実施の形態では、各縦桟部材80は、ログ外壁30に対しては上下方向に移動可能に取り付けているものの、土台20に対しては固定している。図示しないが、各縦桟部材80における、土台20の高さに相当する位置に、土台20側から土台20とは反対側まで貫通する円孔状のボルト孔をそれぞれ設け、各ボルト孔にコーチボルトをそれぞれ挿通して、その先端部分を土台20に螺合させて固定する。このとき、各コーチボルトは、各縦桟部材80が土台20にしっかりと固定されるように締め付ける。このようにして、本実施の形態では、各縦桟部材80を、土台20に対して固定している。
このように、本実施の形態では、各縦桟部材80は、セトリングを考慮して、ログ外壁30に対しては相対的に変位するものの、土台20に対しては変位しないようにしている。このため、本実施の形態では、セトリングによりログ外壁30全体の高さが低くなると、各縦桟部材80は、ログ外壁30に対しては相対的に上方へ移動するように見えるものの、土台20に対しては移動することなく、ひいては地面や基礎10に対しても移動することはない。
【００２４】
また、本実施の形態では、各縦桟部材80における、隣り合う縦桟部材80と対向する面（以下「対向面」という）には、それぞれ縦長スペーサー85が固定されている。この縦長スペーサー85は、ログ外壁30と外断熱材40との間に、空気層60としての間隙を設けるためのものである。具体的には、本実施の形態では、各縦長スペーサー85として、断面が四角形状の角材を用いている。そして、各縦桟部材80の各対向面における、ログ外壁30側の端縁に沿って、縦長スペーサー85が固定されている。また、各縦長スペーサー85は、縦桟部材80とは釘等の固定具を用いて固定されているものの、ログ外壁30には固定されていない。そして、縦長スペーサー85の奥行き（厚さ）が、ログ外壁30と外断熱材40との間隔とされるものであり、ひいては空気層60の奥行き（厚さ）とされるものである。
【００２５】
また、本実施の形態では、各縦桟部材80における、ログ外壁30とは反対側の面（以下「反対面」という）には、それぞれ介装部材86が固定されている。この介装部材86は、外断熱材40と外装部材50との間に、通気層70としての間隙を設けるためのものである。具体的には、本実施の形態では、各介装部材86として、断面が四角形状の角材を用いている。そして、各縦桟部材80の反対面に、介装部材86が釘等の固定具を用いて固定されている。そして、介装部材86の奥行き（厚さ）が、外断熱材40と外装部材50との間隔とされるものであり、ひいては通気層70の奥行き（厚さ）とされるものである。
（外断熱材40）
外断熱材40は、ログ外壁30の室外側に配置される断熱材である。
【００２６】
本実施の形態では、外断熱材40として、ボード系の断熱材を用いている。そして、このボード系の断熱材を、隣り合う縦桟部材80同士の間に嵌め込むようにして、ログ外壁30の室外側に配置する。このとき、ログ外壁30と外断熱材40との間に、縦長スペーサー85が挟まれることにより、空気層60としての間隙が形成される。また、外断熱材40は、縦桟部材80には金具等で固定するが、ログ外壁30には固定しない。
また、本実施の形態では、外断熱材40の室外側には、透湿防水シート45が貼付される。
（外装部材50）
外装部材50は、外断熱材40の室外側に配置される部材である。
【００２７】
本実施の形態では、外装部材50として、横長の四角板状の部材を用いている。そして、この横長の四角板状の外装部材50を、多段に重ねるようにして、外断熱材40の外側に配置する。このとき、外断熱材40と外装部材50との間に、介装部材86が挟まれることにより、通気層70としての間隙が形成される。また、外装部材50は、釘等の固定具を用いて介装部材86に固定され、また、介装部材86は、釘等の固定具を用いて縦桟部材80に固定されている。つまり、外装部材50は、介装部材86を介して、縦桟部材80に固定されている。
（空気層60）
空気層60は、ログ外壁30と外断熱材40との間に設けられる層であって、室内及び室外のいずれとも連通しない層である。
【００２８】
上述したように、ログ外壁30と外断熱材40との間に、縦長スペーサー85が挟まれることにより、空気層60が形成される。
また、ログ外壁30の上端部と外断熱材40との間には、上封止部材87が設けられている。この上封止部材87は、空気層60の上側の開口を塞ぐためのものであり、空気層60と室外とが連通しないようにするためのものである。本実施の形態では、上封止部材87として、断面が四角形状の角材を用いている。そして、上封止部材87は、釘等の固定具を用いてログ外壁30に固定されている。
また、ログ外壁30の下端部と外断熱材40との間には、下封止部材88が設けられている。この下封止部材88は、空気層60の下側の開口を塞ぐためのものであり、空気層60と室外とが連通しないようにするためのものである。本実施の形態では、下封止部材88として、断面が四角形状の角材を用いている。そして、下封止部材88は、上封止部材87と同様に、釘等の固定具を用いてログ外壁30に固定されている。
【００２９】
（通気層70、上通気口71、下通気口72）
通気層70は、外断熱材40と外装部材50との間に設けられる層であって、室内とは連通せず室外とは連通する層である。
上述したように、外断熱材40と外装部材50との間に、介装部材86が挟まれることにより、通気層70が形成される。
また、外断熱材40の上端部と外装部材50の上端部との間には、通気層70と室外とを連通させる上通気口71が設けられている。
また、外断熱材40の下端部と外装部材50の下端部との間には、通気層70と室外とを連通させる下通気口72が設けられている。
【００３０】
また、外断熱材40と外装部材50との間であって下通気口72の近傍には、下通気スペーサー89が設けられている。この下通気スペーサー89は、通気層70と室外との通気を確保しつつ、室外から通気層70内に昆虫等が侵入しないようにするためのものである。そして、この下通気スペーサー89は、釘等の固定具を用いて縦桟部材80に固定されている。
（雨仕舞部90、セトリングスペース95）
雨仕舞部90は、空気層60や通気層70に雨水が入り込まないようにこれらを上方から覆うための部分である。
雨仕舞部90は、ログ外壁30の上端に固定される固定部91と、固定部91から室外方向へ向けて延びる庇部92と、庇部92の先端から下方へ向けて延びる隠し部93とを有している。また、庇部92の先端は、外装部材50よりも室外側まで延びており、また、隠し部93の下端は、外装部材50の上端よりも下側まで延びている。そして、固定部91と庇部92と隠し部93とによって、断面「コ」字形の雨仕舞部90が形成され、この断面「コ」字形の雨仕舞部90が、空気層60や通気層70を上方から覆うようにしてあり、これにより、空気層60や通気層70に雨水が入り込まないようにしている。
【００３１】
また、外断熱材40及び外装部材50の上端と庇部92の下面との間には、セトリングにより低くなると想定される高さ以上の間隔が設けられている。また、固定部91と庇部92と隠し部93とで囲まれる部分、つまり、「コ」字形の雨仕舞部90の内部は、セトリングスペース95とされている。
ここで、雨仕舞部90はログ外壁30の上端に固定されていることから、セトリングによりログ外壁30全体の高さが低くなると、これに伴って雨仕舞部90の高さも低くなる。このとき、セトリングスペース95内に外断熱材40及び外装部材50が入り込むこととなる。
また、外装部材50の上端部と隠し部93の下端部との間には、上通気スペーサー94が設けられている。この上通気スペーサー94は、セトリングスペース95と室外との通気を確保しつつ、室外からセトリングスペース95内に昆虫等が侵入しないようにするためのものである。そして、この上通気スペーサー94は、釘等の固定具を用いて外装部材50に固定されている。
【００３２】
なお、通気層70は、上部においては、セトリングスペース95を介して、室外と連通している。
（作用・効果）
以上説明したように、本実施の形態では、ログ外壁30の室外側に、外断熱材40を配置するとともに、ログ外壁30と外断熱材40との間に、室内及び室外のいずれとも連通しない空気層60を設けたことから、室外側に外壁が厚くなるので、室内空間を圧迫しない。また、室内側にログ外壁30を露出させることができるので、室内で天然木の良さ、具体的には、例えば、木の香によるリラックス効果、木目や色調、調湿性、保温性（やわらかな放射熱）などを享受できる。さらに、空気層60が断熱層として機能するので、寒冷地でもログ外壁30を厚くすることなく十分な耐熱性能を得ることができる。しかも、空気層60がログ外壁30と外断熱材40との接触を断つので、セトリングによりログ外壁30全体の高さが低下しても外断熱材40及び外装部材50が変形しない。
【００３３】
また、本実施の形態では、外断熱材40と外装部材50との間に、室内とは連通せず室外とは連通する通気層70を設けたことから、日射による外装部材50の温度上昇の室内への影響を小さく抑えられる。
また、本実施の形態では、外断熱材40の上端部と外装部材50の上端部との間に、通気層70と室外とを連通させる上通気口71を設けるとともに、外断熱材40の下端部と外装部材50の下端部との間に、通気層70と室外とを連通させる下通気口72を設けたことから、通気層70内の空気が上下に抜けるので、通気層70内の通気を効果的に行える。
また、本実施の形態では、ログ外壁30の室外側の壁面に、上下方向に延びる複数本の縦桟部材80を、ログ外壁30に対して上下方向に移動可能に取り付けて、これらの縦桟部材80に、外断熱材40及び外装部材50を固定したことから、セトリングによりログ外壁30全体の高さが低下しても、縦桟部材80が変形することなくログ外壁30の室外側の壁面に取り付けられたままの状態を保ち、ひいては外断熱材40及び外装部材50が変形しない。
【００３４】
（他の実施の形態）
なお、上記実施の形態では、ログ材31として、いわゆるＩ型ログを用いたが、これに限られるものではなく、例えば、図４に示すように、断面がアルファベットの「Ｄ」のような形状の、いわゆるＤ型ログを用いることもでき、また、図示しないが、丸太がもっている自然の形状を生かした、いわゆる丸ログを用いることもでき、また、断面が縦長の楕円形状の、いわゆる楕円ログを用いることもでき、また、断面が横長の楕円形状の、いわゆる太鼓型ログを用いることもでき、また、断面が三角形状の木材を用いることもできる。
また、上記実施の形態では、上下方向に延びる長円形状の貫通長孔81は、縦桟部材80に直接設けたが、これに限られるものではない。例えば、図５に示すように、平板状の取付片101と、この取付片101の一端から取付片101に対して垂直方向に延びる平板状の固定片102とを有する、Ｌ字形の取付具100を用いることができる。取付片101は、ログ外壁30に取り付けられる部分であり、また、固定片102は、縦桟部材80に固定される部分である。また、取付片101には、上下方向に延びる長円形状の貫通長孔81が設けられ、また、固定片102には、円形のネジ孔103が設けられている。そして、ネジ孔103に挿通させたネジ等の固定具で、取付具100を縦桟部材80に固定し、さらに、取付具100に設けられた貫通長孔81に、締結具としての木ネジ104を挿通し、この木ネジ104をログ外壁30に固定する。このようにしても、縦桟部材80を、ログ外壁30の室外側の壁面に、ログ外壁30に対して上下方向に移動可能に取り付けることができる。
【００３５】
また、上記実施の形態では、縦桟部材80は、土台20に対して固定するとしたが、これに限られるものではない。最下段のログ材31は、セトリングの影響が極めて小さいことから、例えば、縦桟部材80を、最下段のログ材31に固定するようにしてもよく、また、土台20及び最下段のログ材31の双方に固定するようにしてもよい。
また、上記実施の形態では、外装部材50として、横長の四角板状の部材を用いたが、これに限られるものではない。例えば、外装部材50として、縦長の四角板状の部材を用いることができる。この場合、縦桟部材80と外装部材50との間に介装される介装部材86は、縦桟部材80に対して直交するように設けられ、更に、通気層70における空気の流れを阻害しないように、介装部材86には上下方向の通気溝が多数設けられる。また、例えば、外装部材50として、窯業系サイディングを用いることもできる。なお、窯業系サイディングとは、窯業系外壁材とも呼ばれるものであって、セメント質と繊維質とを主な原料として板状に形成した外壁材をいう。
【符号の説明】
【００３６】
10  基礎                             20  土台
30  ログ外壁                         31  ログ材
40  外断熱材                         45  透湿防水シート
50  外装部材
60  空気層                           70  通気層
71  上通気口                         72  下通気口
80  縦桟部材                         81  貫通長孔
82  締結具としてのコーチボルト       85  縦長スペーサー
86  介装部材                         87  上封止部材
88  下封止部材                       89  下通気スペーサー
90  雨仕舞部                         91  固定部
92  庇部                             93  隠し部
94  上通気スペーサー                 95  セトリングスペース
96  水切り                          100  取付具
101  取付片                          102  固定片
103  ネジ孔                          104  締結具としての木ネジ
【図１】
2011132731.tif 000003
【図２】
2011132731.tif 000004
【図３】
2011132731.tif 000005
【図４】
2011132731.tif 000006
【図５】
2011132731.tif 000007